(57)【要約】      （修正有）【課題】ワイヤー又はプラスチックで作られている物を、ガラス、施釉タイル等の滑らかな表面に固定するグリップを提供する。【解決手段】本グリップは、吸着カップ１で作られており、吸着カップに組み込まれるネジ７と、中心に穴６が空いた硬い上敷き２と、ナット５とを有する。上敷き２は上部にくぼみ４を有し、上敷き２の表面に２つの切れ目３を有する。上敷き２は、吸着カップの一部分上の上敷きの縁に突起を有する。かごのワイヤーロッドは、上敷き２の外表面の切れ目３及びくぼみ４にはまる。吸着カップ１に組み込まれるネジ７は、上敷き２の穴６と、固定部のロッドの穴とを貫通する。ナット５を締めることで、ネジ７を上敷き２の外側に移動させて、そのことが吸着カップ１の下に真空をもたらし、固定部のロッドを上敷き２に押し付け、上敷き２を吸着カップ１の周辺部に押し付ける。【選択図】図１
0003193919.tif 000002
【実用新案登録請求の範囲】
【請求項１】
本実用新案に基づき、吸着カップで作られたグリップであり、
前記グリップは、前記吸着カップに組み込まれるネジと、前記吸着カップ側に、中心に穴が空いたくぼんだ表面を有する硬い上敷きと、ナットとを有し、
前記上敷き（２）が、前記上敷きの外表面に中心に位置するくぼみ（４）、及び２つの切れ目（３）を有するという事実で限定される、グリップ。
【請求項２】
前記上敷き（２）がドーム形状であるという事実で限定される、請求項１に記載のグリップ。
【請求項３】
前記上敷き（２）が円柱形状であるという事実で限定される、請求項１に記載のグリップ。
【請求項４】
前記上敷き（２）の直径が、前記吸着カップ（１）の直径よりも小さいという事実で限定される、請求項１、２又は３に記載のグリップ。
【請求項５】
前記上敷き（２）が、前記吸着カップ側の前記上敷きの縁に、３つの突起（９）を有するという事実で限定される、請求項１、２、３又は４に記載のグリップ。
【請求項６】
前記吸着カップ（１）が、丸型であるという事実で限定される、請求項１、２、３、４又は５に記載のグリップ。
【請求項７】
前記ナット（５）が、下部に丸い表面処理及び切り取りを有する円柱形状であるという事実で限定される、請求項１、２、３、４、５又は６に記載のグリップ。
【考案の詳細な説明】
【技術分野】
【０００１】
本実用新案の主題はグリップであり、当該グリップは、ワイヤー又はプラスチックで作られている物を、ガラス、施釉タイル等の滑らかな表面に固定する働きをする。
【背景技術】
【０００２】
我々は既に、吸着カップで作られたグリップを知っている。当該グリップは、吸着カップに組み込まれるネジと、穴の開いたドーム形状の硬い上敷き（a hard overlay）と、上部にナットとを有する。吸着カップは、例えばガラスの、滑らかな表面と接触し、ネジが上敷きの穴を貫通するように、硬い上敷きのドームを当該表面に配置する。次にワイヤーのドリル穴を上敷きの上に置き、ナットで締める。ナットを締めることで、ネジを上敷きの外側に移動させて、吸着カップの中心を持ち上げる。当該持ち上げ力は真空をもたらし、当該真空は上敷きを締め付け、そのためグリップを滑らかな表面に押し付け、さらにワイヤーで作られた被固定物に押し付ける。
【考案の概要】
【考案が解決しようとする課題】
【０００３】
我々が１つの吸着カップのみを用いる場合、この解決法には欠点があり、すなわち被固定物が不安定である。締め付けられた物は上敷きに向かって回転し、ここで吸着カップのネジは旋回軸となる。負荷の結果、被固定物は基準位置（the level）から外れることがある。そのようなことすべてを考えると、被固定物の安定性を獲得するためには、少なくとも２つのグリップを有することが必要である。
【課題を解決するための手段】
【０００４】
本実用新案に基づくグリップは、ワイヤーで作られた物、例えばワイヤーの脱衣かごを、滑らかな表面に固定する働きをする。当該グリップは、吸着カップで作られており、吸着カップに組み込まれるネジと、吸着カップ側に、中心に穴が空いたくぼんだ表面を有する硬い上敷きと、ナットとを有する。当該グリップは、上敷きがその外表面に、中心に位置するくぼみ及び２つの切れ目を有するように限定される。単一の切れ目、３つの切れ目又は４つの切れ目さえ有する変形を製造することもできる。上敷きはドーム形状であり、吸着カップ側の底部の縁にはめ込み（突起）を有する。他の変形では、上敷きは円柱形状を有する。吸着カップは丸く、上敷きは吸着カップよりも小さい直径を有する。ナットは下部に丸い表面処理及びスマッシュ（a smash、切り取り）を有する円柱形状である。
【考案の効果】
【０００５】
本実用新案の効果は、鉛直位置及び水平位置におけるより良い安定性と、真空によって引き起こされる吸着カップ外表面上のナットの押圧と、上敷きの表面のくぼみ内にまさにワイヤーを取り付けることとによる、押し付けられた物体のグリップへの回転の排除と、締付けられた、ワイヤー又はプラスチックで作られた物体のより堅固な安定性である。
【０００６】
本実用新案に基づくグリップを適用した際には、被固定物の完全な安定性を達成するために、有する必要があるグリップの数がより少なくなり、このことは物体の固定をより容易かつ迅速にする。
【図面の簡単な説明】
【０００７】
【図１】吸着カップ、ドーム形の上敷き、及びナット上に配置されたグリップの斜視図である。
【図２】同じ上敷きの吸着カップ側の斜視図である。
【図３】グリップの他の種類の上敷きを示す図であり、ここで当該上敷きは円柱形状を有する。
【図４】円柱形状の上敷きを、被固定物の調整されたワイヤーロッドとともに示す図である。
【図５】前から見た、１個の固定されたワイヤーのかごを示す図である。
【図６】前から見た、同じ固定されたワイヤーのかごを示す図である。
【図７】側方の視点から見た、同じ固定されたワイヤーのかごを示す図である。
【考案を実施するための形態】
【０００８】
本実用新案に基づくグリップを図面に示す。
【０００９】
本グリップは、ワイヤーの物体、例えばワイヤーの脱衣かごを、滑らかな表面に固定するのに役立つ。当該グリップは、吸着カップ１で作られており、吸着カップに組み込まれるネジ７と、中心に穴６が空いた硬い上敷き２と、ナット５とを有する。上敷き２は上部にくぼみ４を有し、上敷き２の表面に２つの切れ目３を有する。上敷き２は、吸着カップの一部分上の上敷きの縁に突起９を有する。かごのワイヤーロッド８は、上敷き２の外表面の切れ目３及びくぼみ４にはまる。吸着カップ１に組み込まれるネジ７は、上敷き２の穴６と、固定部のロッド８の穴とを貫通する。ナット５を締めることで、ネジ７を上敷き２の外側に移動させて、そのことが吸着カップ１の下に真空をもたらし、固定部のロッド８を上敷き２に押し付け、上敷き２を吸着カップ１の周辺部に押し付ける。上敷き２の吸着カップ側の縁の突起９は、吸着カップの周辺部を突き、上敷きを安定させて、上敷きを吸着カップへ回転できなくする。固定部のロッド８は、上敷き２の外表面の切れ目３及びくぼみ４にはまり、上敷き２へ押し付けられて、吸着カップ１を可能なすべての方向、すなわち鉛直方向、水平方向で安定させ、上敷き２を回転できなくする。
【図１】
0003193919.tif 000003
【図２】
0003193919.tif 000004
【図３】
0003193919.tif 000005
【図４】
0003193919.tif 000006
【図５】
0003193919.tif 000007
【図６】
0003193919.tif 000008
【図７】
0003193919.tif 000009
【手続補正書】
【提出日】平成26年8月28日(2014.8.28)
【手続補正１】
【補正対象書類名】実用新案登録請求の範囲
【補正対象項目名】全文
【補正方法】変更
【補正の内容】
【実用新案登録請求の範囲】
【請求項１】
吸着カップで作られたグリップであり、
前記グリップは、前記吸着カップに組み込まれるネジと、前記吸着カップ側に、中心に穴が空いたくぼんだ表面を有する硬い上敷きと、ナットとを有し、
前記上敷き（２）が、前記上敷きの外表面に中心に位置するくぼみ（４）、及び２つの切れ目（３）を有するという事実で限定される、グリップ。
【請求項２】
前記上敷き（２）がドーム形状であるという事実で限定される、請求項１に記載のグリップ。
【請求項３】
前記上敷き（２）が円柱形状であるという事実で限定される、請求項１に記載のグリップ。
【請求項４】
前記上敷き（２）の直径が、前記吸着カップ（１）の直径よりも小さいという事実で限定される、請求項１、２又は３に記載のグリップ。
【請求項５】
前記上敷き（２）が、前記吸着カップ側の前記上敷きの縁に、３つの突起（９）を有するという事実で限定される、請求項１、２、３又は４に記載のグリップ。
【請求項６】
前記吸着カップ（１）が、丸型であるという事実で限定される、請求項１、２、３、４又は５に記載のグリップ。
【請求項７】
前記ナット（５）が、下部に丸い表面処理及び切り取りを有する円柱形状であるという事実で限定される、請求項１、２、３、４、５又は６に記載のグリップ。